(57)【要約】【課題】柔軟性及び強度を適切に確保しつつ、両者のバランスが取れた絶縁電線を提供する。【解決手段】絶縁電線１は、複数本の第１撚り線２、複数本の第２撚り線３及び被覆材４を備える。各第１撚り線２は、複数の第１素線２１が撚られて形成されている。各第２撚り線３は、第１素線２１よりも線径が小さい複数の第２素線３１が撚られて形成されている。複数本の第１撚り線２は、絶縁電線１の中心部付近において周方向Ｃに撚られている。複数本の第２撚り線３は、複数本の第１撚り線２を囲む外周において周方向Ｃに撚られている。【選択図】図１
2019185981.tif 000002
【特許請求の範囲】
【請求項１】
複数の第１素線が撚られて形成された、複数本の第１撚り線と、
前記第１素線と線径が異なる複数の第２素線が撚られて形成された、複数本の第２撚り線と、
複数本の前記第１撚り線及び複数本の前記第２撚り線の全体の外周をまとめて被覆する絶縁性の被覆材と、を備える絶縁電線であって、
複数本の前記第１撚り線は、周方向に撚られており、
複数本の前記第２撚り線は、複数本の前記第１撚り線を囲む外周において周方向に撚られている、絶縁電線。
【請求項２】
前記第２素線の線径は、前記第１素線の線径よりも小さい、請求項１に記載の絶縁電線。
【請求項３】
複数本の前記第２撚り線は、複数本の前記第１撚り線が撚られた方向と同じ方向に撚られている、請求項１又は２に記載の絶縁電線。
【請求項４】
複数本の前記第１撚り線は、前記絶縁電線の中心部に配置された中心側第１撚り線と、前記中心側第１撚り線を囲む外周に配置された複数本の外周側第１撚り線とによって形成されている、請求項１〜３のいずれか１項に記載の絶縁電線。
【請求項５】
前記絶縁電線の中心部には、前記第１素線と線径が異なる複数の第３素線が撚られて形成された第３撚り線が配置されており、
複数本の前記第１撚り線は、前記第３撚り線を囲む外周に配置されている、請求項１〜３のいずれか１項に記載の絶縁電線。
【請求項６】
複数本の前記第２撚り線は、径方向に１段又は２段の状態で配置されている、請求項１〜５のいずれか１項に記載の絶縁電線。
【請求項７】
複数本の前記第２撚り線は、径方向に１段に並んで配置されており、
前記第２撚り線同士の間の外周側に形成された隙間には、複数の隙間素線が撚られて形成された、前記第２撚り線の直径よりも直径が小さい隙間撚り線が、前記第２撚り線と周方向に交互に並んで配置されている、請求項１〜６のいずれか１項に記載の絶縁電線。
【請求項８】
複数の第１素線が撚られて形成された、１本又は複数本の第１撚り線と、
前記第１素線の線径よりも線径が小さい複数の第２素線が撚られて形成された、複数本の第２撚り線と、
複数本の前記第１撚り線及び複数本の前記第２撚り線の全体の外周をまとめて被覆する絶縁性の被覆材と、を備える絶縁電線であって、
前記第１撚り線は、前記絶縁電線の中心部に配置されており、
複数本の前記第２撚り線は、周方向に撚られた状態で、前記第１撚り線を囲む外周部に配置されている、絶縁電線。
【発明の詳細な説明】
【技術分野】
【０００１】
本発明は、素線の線径が異なる複数種類の撚り線を有する絶縁電線に関する。
【背景技術】
【０００２】
種々の電子制御機器を電気配線する際には、複数本の素線と複数本の素線の外周を被覆する絶縁材とを有する絶縁電線が用いられる。また、絶縁電線は、配線の取り回しを容易にするために、複数の素線が撚られて形成された複数本の撚り線によって形成することが多い。
【０００３】
例えば、特許文献１の耐屈曲電線は、複合撚り線を有しており、複合撚り線は、複数本の導電性の素線が撚られて形成された集合撚り線が、更に複数本に撚られて形成されている。また、複合撚り線における複数本の集合撚り線の撚りピッチは、集合撚り線における複数本の素線の撚りピッチ以上にすることが記載されている。
【先行技術文献】
【特許文献】
【０００４】
【特許文献１】特開２０１６−１９７５６９号公報
【発明の概要】
【発明が解決しようとする課題】
【０００５】
絶縁電線には、配線の取り回しを容易にするために、柔軟性（可撓容易性）が高いことが要求される。また、車載環境下等の振動が加わる環境下において使用される絶縁電線には、共振しにくいことを示す耐共振性等の強度（剛性）が高いことも要求される。
【０００６】
絶縁電線の柔軟性を高めるためには、その強度を低くする必要がある一方、絶縁電線の強度を高めるためには、その柔軟性を低くする必要がある。つまり、柔軟性と強度とは相反関係にあり、両者を同時に高めることは難しい。
【０００７】
従って、柔軟性と強度とを適度に高めつつ、両者のバランスが取れた絶縁電線の開発が望まれる。柔軟性及び強度は、発明者らの研究により、複数種類の撚り線の配置の仕方によって、効果的に高められることが見出された。特許文献１の耐屈曲電線においては、複数本の集合撚り線をまとめることが記載されているものの、複数種類の撚り線を用いることについては記載されていない。
【０００８】
本発明は、かかる課題に鑑みてなされたもので、柔軟性及び強度を適切に確保しつつ、両者のバランスが取れた絶縁電線を提供しようとして得られたものである。
【課題を解決するための手段】
【０００９】
本発明の一態様は、複数の第１素線が撚られて形成された、複数本の第１撚り線と、
前記第１素線と線径が異なる複数の第２素線が撚られて形成された、複数本の第２撚り線と、
複数本の前記第１撚り線及び複数本の前記第２撚り線の全体の外周をまとめて被覆する絶縁性の被覆材と、を備える絶縁電線であって、
複数本の前記第１撚り線は、周方向に撚られており、
複数本の前記第２撚り線は、複数本の前記第１撚り線を囲む外周において周方向に撚られている、絶縁電線にある。
【００１０】
本発明の他の態様は、複数の第１素線が撚られて形成された、１本又は複数本の第１撚り線と、
前記第１素線の線径よりも線径が小さい複数の第２素線が撚られて形成された、複数本の第２撚り線と、
複数本の前記第１撚り線及び複数本の前記第２撚り線の全体の外周をまとめて被覆する絶縁性の被覆材と、を備える絶縁電線であって、
前記第１撚り線は、前記絶縁電線の中心部に配置されており、
複数本の前記第２撚り線は、周方向に撚られた状態で、前記第１撚り線を囲む外周部に配置されている、絶縁電線にある。
【発明の効果】
【００１１】
（一態様の絶縁電線）
前記一態様の絶縁電線においては、素線の線径が異なる２種類の撚り線である第１撚り線及び第２撚り線を用いることに第１の工夫がある。第１素線及び第２素線のうちの線径が小さい方を用いた第１撚り線又は第２撚り線の一方により、絶縁電線の柔軟性を確保することができる。また、第１素線及び第２素線のうちの線径が大きい方を用いた第１撚り線又は第２撚り線の他方により、絶縁電線の強度を確保することができる。
【００１２】
また、前記一態様の絶縁電線においては、第１素線を用いた複数本の第１撚り線が、互いに撚られているとともに、第２素線を用いた複数本の第２撚り線が、複数本の第１撚り線を囲む外周において互いに撚られていることに第２の工夫がある。すなわち、複数本の第１撚り線と複数本の第２撚り線とが別々に撚られていることにより、絶縁電線の振動に対する強度を適切に高めることができる。また、複数本の第１撚り線と複数本の第２撚り線とを別々に撚ることにより、撚りの作業を容易にし、撚りが不十分となることを防止することもできる。
【００１３】
それ故、前記一態様の絶縁電線によれば、このような２つの工夫を組み合わせることによって、柔軟性及び強度を適切に確保しつつ、両者のバランスが取れた絶縁電線を形成することができる。
【００１４】
（他の態様の絶縁電線）
前記他の態様の絶縁電線においては、素線の線径が異なる２種類の撚り線である第１撚り線及び第２撚り線を用いることに第１の工夫がある。第１素線に比べて線径が小さい第２素線を用いた第２撚り線により、絶縁電線の柔軟性を確保することができる。また、第２素線に比べて線径が大きい第１素線を用いた第１撚り線により、絶縁電線の強度を確保することができる。
【００１５】
また、前記他の態様の絶縁電線においては、複数本の第２撚り線が、互いに撚られた状態で、第１撚り線を囲む外周部に配置されていることに第２の工夫がある。すなわち、絶縁電線の中心部には、線径が大きい方の第１素線を用いた第１撚り線が配置されていることにより、絶縁電線の強度を適切に高めることができる。また、絶縁電線の外周部には、線径が小さい方の第２素線を用いた第２撚り線が配置されていることにより、絶縁電線の柔軟性を適切に高めることができる。
【００１６】
それ故、前記他の態様の絶縁電線によれば、このような２つの工夫を組み合わせることによって、柔軟性及び強度を適切に確保しつつ、両者のバランスが取れた絶縁電線を形成することができる。
【図面の簡単な説明】
【００１７】
【図１】実施形態１にかかる、絶縁電線の断面を示す説明図。
【図２】実施形態１にかかる、複数の第１素線が撚られた第１撚り線を示す斜視図。
【図３】実施形態１にかかる、複数の第２素線が撚られた第２撚り線を示す斜視図。
【図４】実施形態１にかかる、複数本の第１撚り線が撚られた第１撚り線群を示す斜視図。
【図５】実施形態１にかかる、第１撚り線群の周りに複数本の第２撚り線が撚られた第２撚り線群を示す斜視図。
【図６】実施形態１にかかる、素線の直径によって、その強度と柔軟性が変化することを模式的に示すグラフ。
【図７】実施形態２にかかる、絶縁電線の断面を示す説明図。
【図８】実施形態２にかかる、他の絶縁電線の断面を示す説明図。
【図９】実施形態２にかかる、他の絶縁電線の断面を示す説明図。
【図１０】実施形態２にかかる、他の絶縁電線の断面を示す説明図。
【図１１】実施形態２にかかる、他の絶縁電線の断面を示す説明図。
【図１２】実施形態３にかかる、絶縁電線の断面を示す説明図。
【図１３】実施形態４にかかる、絶縁電線の断面を示す説明図。
【発明を実施するための形態】
【００１８】
前述した絶縁電線にかかる好ましい実施形態について、図面を参照して説明する。
本形態の絶縁電線１は、図１に示すように、複数本の第１撚り線２、複数本の第２撚り線３及び被覆材４を備える。各第１撚り線２は、図２に示すように、複数の第１素線２１が撚られて形成されている。各第２撚り線３は、図３に示すように、第１素線２１よりも線径（直径）が小さい複数の第２素線３１が撚られて形成されている。被覆材４は、図１に示すように、絶縁電線１の最外周部において、複数本の第１撚り線２及び複数本の第２撚り線３の全体の外周をまとめて被覆している。
【００１９】
複数本の第１撚り線２は、図４に示すように、絶縁電線１の中心部付近において周方向Ｃに撚られている。複数本の第２撚り線３は、図５に示すように、複数本の第１撚り線２を囲む外周において周方向Ｃに撚られている。
【００２０】
以下に、本形態の絶縁電線１について詳説する。
（絶縁電線１）
絶縁電線１は、車載用のものであり、車両に搭載された種々の電子制御機器の電気配線を行うために使用される。絶縁電線１は、曲線状に折り返された状態等に屈曲されて、電子制御機器に接続される。そのため、絶縁電線１には、屈曲を容易にするための柔軟性（可撓容易性）が必要とされる。また、絶縁電線１には、車両の走行による振動が加わるため、強度（剛性）、特に共振に対して耐えられる耐共振性が必要とされる。
【００２１】
（第１素線２１及び第２素線３１）
図１〜図３に示すように、第１素線２１及び第２素線３１は、いずれも導通性の良い金属材料として、銅及び銅合金を含む銅材料等によって形成されている。第１素線２１の線径（直径）は、０．２〜１．０ｍｍの範囲内に設定されている。第２素線３１の線径（直径）は、０．０５〜０．５ｍｍの範囲内に設定されている。第１素線２１の線径は、第２素線３１の線径の１．５〜３倍の大きさに設定することができる。
【００２２】
絶縁電線１は、複数本の第１撚り線２及び複数本の第２撚り線３による導体と、被覆材４とによって構成されている。複数本の第１撚り線２及び複数本の第２撚り線３は、全体で一つの導体を構成する。第１撚り線２の外周及び第２撚り線３の外周には被覆層は形成されていない。第１撚り線２同士の間、第２撚り線３同士の間、第１撚り線２と第２撚り線３との間は、絶縁されていない。
【００２３】
（第１撚り線２）
図１、図４及び図５に示すように、第１撚り線２を構成する第１素線２１の本数は、３〜１０００本とすることができる。第２撚り線３を構成する第２素線３１の本数は、３〜１００００本とすることができる。第１撚り線２を構成する複数の第１素線２１は、断面が円形に近くなる状態で配置され、周方向Ｃの一方側Ｃ１に捩じられるように撚られている。第２撚り線３を構成する複数の第２素線３１は、断面が円形に近くなる状態で配置され、周方向Ｃの一方側Ｃ１に捩じられるように撚られている。
【００２４】
図４及び図５に示すように、第１撚り線２及び第２撚り線３においては、複数の第１素線２１又は複数の第２素線３１が螺旋状に配置されている。第１撚り線２における複数の第１素線２１が撚られた方向と、第２撚り線３における複数の第２素線３１が撚られた方向とは同じである。
【００２５】
第１撚り線２における複数の第１素線２１が撚られた撚りピッチと、第２撚り線３における複数の第２素線３１が撚られた撚りピッチとは同じにすることができる。また、複数の第１素線２１の撚りピッチと、複数の第２素線３１の撚りピッチとは互いに異ならせることもできる。撚りピッチとは、各素線２１，３１等が周方向Ｃに１周分捩じられるときの長さのことをいう。
【００２６】
第１撚り線２を形成する際には、複数の第１素線２１を断面で見たときに、複数の第１素線２１が仮想円に沿って並ぶ状態を形成し、第１素線２１の全体を周方向Ｃに捩じるようにして、第１素線２１の全体を撚ることができる。このことは、複数の第２素線３１による第２撚り線３についても同様である。
【００２７】
複数の第１素線２１を撚って第１撚り線２を形成するときには、各第１素線２１を適宜圧縮することにより、第１素線２１間の隙間を少なくするとともに、第１撚り線２の断面形状を真円形状に近い形状にすることができる。このことは、複数の第２素線３１による第２撚り線３についても同様である。
【００２８】
図１〜図５においては、第１撚り線２を構成する第１素線２１の本数及び第２撚り線３を構成する第２素線３１の本数は、便宜的に６本にして示す。また、第２撚り線３の本数は、便宜的に１６本にして示す。
【００２９】
（第１撚り線群２０）
図１に示すように、複数本の第１撚り線２は、第１撚り線群２０として、絶縁電線１の中心部に配置された中心側第１撚り線２Ａと、中心側第１撚り線２Ａを囲む外周に配置された複数本の外周側第１撚り線２Ｂとによって形成されている。複数本の第１撚り線２の束を第１撚り線群２０という。複数本の第１撚り線２が周方向Ｃに撚られたときには、中心側第１撚り線２Ａを中心にして、複数本の外周側第１撚り線２Ｂが周方向Ｃの一方側Ｃ１に捩じられて撚られる。
【００３０】
図４に示すように、第１撚り線群２０においては、複数本の第１撚り線２が螺旋状に配置されている。本形態の第１撚り線２の合計本数は７本とし、中心側第１撚り線２Ａが１本、外周側第１撚り線２Ｂが６本とした。第１撚り線２の合計本数は、１〜３５０本とすることができる。
【００３１】
また、第１撚り線群２０においては、必ずしも中心側第１撚り線２Ａと外周側第１撚り線２Ｂとが明確に分かれている必要はない。第１撚り線群２０を形成する際には、複数の第１撚り線２を断面で見たときに、複数の第１撚り線２が仮想円に沿って並ぶ状態を形成し、第１撚り線２の全体を周方向Ｃに捩じるようにして、第１撚り線２の全体を撚ることができる。この場合、中心側第１撚り線２Ａは、外周側第１撚り線２Ｂと適宜入れ替わることがある。
【００３２】
複数本の外周側第１撚り線２Ｂは、中心側第１撚り線２Ａの周りを旋回するように周方向Ｃの一方側Ｃ１に捩じられていてもよい。一方、中心側第１撚り線２Ａは、複数本の第１撚り線２の撚りを行うときの撚り芯（中心軸）となり、周方向Ｃにほとんど捩じられていなくてもよい。また、複数本の第１撚り線２、言い換えれば複数本の外周側第１撚り線２Ｂが撚られた方向は、複数の第１素線２１が撚られた方向及び複数の第２素線３１が撚られた方向と同じである。
【００３３】
本形態の各第１撚り線２においては、使用された第１素線２１の本数が同じであり、直径が互いに同じになるように形成されている。なお、第１撚り線２の直径とは、第１撚り線２を断面で見たときに、第１撚り線２を構成する複数の第１素線２１の全体が内側に含まれる最小の仮想円の直径のことをいう。このことは、後述する実施形態２〜４において、撚り線の直径という場合についても同様である。なお、中心側第１撚り線２Ａの直径は、外周側第１撚り線２Ｂの直径と異なっていてもよい。
【００３４】
絶縁電線１における外周側第１撚り線２Ｂの本数は、外周側第１撚り線２Ｂが中心側第１撚り線２Ａの周りに円形に近い状態で配置されるとともに、絶縁電線１においてできるだけ隙間が形成されないようにするため、例えば、５〜８本とすることができる。本形態の外周側第１撚り線２Ｂの本数は６本である。
【００３５】
（第２撚り線群３０）
図５に示すように、複数本の第２撚り線３は、第２撚り線群３０として、周方向Ｃの一方側Ｃ１に捩じられるように撚られている。複数本の第２撚り線３は、複数本の第１撚り線２の周りを旋回するように周方向Ｃの一方側Ｃ１に捩じられている。複数本の第２撚り線３の束を第２撚り線群３０という。複数本の第２撚り線３が撚られるときには、複数本の第１撚り線２は、周方向Ｃにほとんど捩じられなくてもよい。また、複数本の第２撚り線３が撚られた方向は、複数の第１素線２１が撚られた方向、複数の第２素線３１が撚られた方向及び複数本の第１撚り線２が撚られた方向と同じである。
【００３６】
第２撚り線群３０においては、複数本の第２撚り線３が螺旋状に配置されている。本形態の第２撚り線３は、径方向に１段の状態で周方向Ｃに並んで配置されている。絶縁電線１における第２撚り線３の本数は、第２撚り線３が第１撚り線群２０の周りに円形に近い状態で配置されるとともに、絶縁電線１においてできるだけ隙間が形成されない本数とする。第２撚り線３の本数は、６〜３５００本とすることができる。
【００３７】
第１撚り線群２０における複数本の第１撚り線２が撚られた撚りピッチと、第２撚り線群３０における複数本の第２撚り線３が撚られた撚りピッチとは、同じにすることができる。また、複数本の第１撚り線２の撚りピッチと、複数本の第２撚り線３の撚りピッチとは、互いに異ならせることもできる。
【００３８】
複数本の第１撚り線２を撚って第１撚り線群２０を形成するときには、各第１撚り線２を適宜圧縮することにより、第１撚り線２間の隙間を少なくするとともに、第１撚り線群２０の断面形状を真円形状に近い形状にすることができる。
【００３９】
また、複数本の第２撚り線３を撚って第２撚り線群３０を形成するときには、各第２撚り線３及び各第１撚り線２を適宜圧縮することにより、第１撚り線２間及び第２撚り線３間の隙間を少なくするとともに、第２撚り線群３０の断面形状を真円形状に近い形状にすることができる。
【００４０】
なお、図１において、絶縁電線１は、各撚り線２，３の配置状態が明確になるように図示している。実際には、特に、第１撚り線２と第２撚り線３との間に、隙間が形成されないようにした方がよい。このことは、後述する実施形態２〜４においても同様である。
【００４１】
（被覆材４）
図１に示すように、被覆材４は、絶縁電線１の最外周部において円筒状に形成されている。被覆材４は、複数本の第１撚り線２及び複数本の第２撚り線３の全体を、周囲から絶縁し、被水等から保護するためのものである。被覆材４は、絶縁性を有する樹脂材料によって形成されている。
【００４２】
本形態の被覆材４の内周には、電磁波を遮蔽するためのシールド材は配置されていない。被覆材４の内周には、シールド材を配置することもできる。
【００４３】
（製造方法）
本形態の絶縁電線１を製造する方法について説明する。
まず、図２に示すように、複数の第１素線２１を束ね、束ねられた複数の第１素線２１の全体を周方向Ｃの一方側Ｃ１に捩じって、第１撚り線２を形成する。また、図３に示すように、複数の第２素線３１を束ね、束ねられた複数の第２素線３１の全体を周方向Ｃの一方側Ｃ１に捩じって、第２撚り線３を形成する。
【００４４】
次いで、図４に示すように、複数本の第１撚り線２を束ね、束ねられた複数本の第１撚り線２を周方向Ｃの一方側Ｃ１に捩じって、第１撚り線群２０を形成する。このとき、第１撚り線群２０は、中心側第１撚り線２Ａの周りに複数本の外周側第１撚り線２Ｂが旋回するようにして、形成することができる。
【００４５】
次いで、第１撚り線群２０の外周に複数本の第２撚り線３を、周方向Ｃに並ぶように配置する。そして、図５に示すように、第１撚り線群２０を中心として、複数本の第２撚り線３を周方向Ｃの一方側Ｃ１に捩じって、第２撚り線群３０を形成する。その後、第２撚り線群３０の周りに被覆材４を形成して、絶縁電線１を製造する。なお、第１撚り線２、第２撚り線３、第１撚り線群２０及び第２撚り線群３０を形成する際には、撚り装置を用いることができる。
【００４６】
（作用効果）
本形態の絶縁電線１においては、素線の線径が異なる２種類の撚り線である第１撚り線２及び第２撚り線３を用いることに第１の工夫がある。第１素線２１に比べて線径が小さい第２素線３１を用いた第２撚り線３により、絶縁電線１の柔軟性を確保することができる。また、第２素線３１に比べて線径が大きい第１素線２１を用いた第１撚り線２により、絶縁電線１の強度を確保することができる。
【００４７】
また、本形態の絶縁電線１においては、第１素線２１を用いた複数本の第１撚り線２が、互いに撚られているとともに、第２素線３１を用いた複数本の第２撚り線３が、複数本の第１撚り線２を囲む外周において互いに撚られていることに第２の工夫がある。すなわち、複数本の第１撚り線２と複数本の第２撚り線３とが別々に撚られていることにより、絶縁電線１の振動に対する強度を適切に高めることができる。また、複数本の第１撚り線２と複数本の第２撚り線３とを別々に撚ることにより、撚りの作業を容易にし、撚りが不十分となることを防止することもできる。
【００４８】
また、本形態の絶縁電線１においては、複数本の第２撚り線３が、互いに撚られた状態で、第１撚り線２を囲む外周部に配置されていることに第３の工夫がある。本形態においては、第１素線２１に比べて線径が小さい第２素線３１による第２撚り線３が、絶縁電線１の外周側に配置されていることにより、絶縁電線１の柔軟性及び強度をより適切に確保することができる。
【００４９】
より具体的には、線径が大きく強度が高い第１素線２１が絶縁電線１の中心側に配置されていることにより、絶縁電線１の強度を効果的に確保することができる。また、線径が小さく強度が低い第２素線３１が絶縁電線１の外周側に配置されていることにより、絶縁電線１の柔軟性を効果的に確保することができる。
【００５０】
図６には、素線の直径（素線径）によって、素線の強度と柔軟性が変化することを模式的に示す。素線径が大きいときには、強度が高くなる一方、柔軟性が低くなる。また、素線径が小さいときには、強度が低くなる一方、柔軟性が高くなる。柔軟性と強度とは相反関係にあり、両者を同時に高めることは難しい。
【００５１】
本形態の絶縁電線１は、柔軟性と強度との相反関係を弱め、柔軟性及び強度のいずれも高くすることができる構成を有する。絶縁電線１を屈曲させるときには、屈曲形状の内側位置にある素線の圧縮応力が大きくなるとともに、屈曲形状の外側位置にある素線の引張応力が大きくなる。そのため、絶縁電線１の外周側に柔軟性に優れる第２素線３１が配置されていることにより、絶縁電線１の柔軟性を高くすることができ、絶縁電線１を屈曲させることが容易になる。
【００５２】
また、絶縁電線１が車両の走行等による振動を受けるときに、振動の特定の周波数において、絶縁電線１の共振現象が生じる。この共振現象は、車両の走行等による振動の周波数が、絶縁電線１の固有振動数に重なるときに生じる。そして、絶縁電線１の固有振動数には、絶縁電線１の中心側に配置された素線の直径が、より大きく影響する。絶縁電線１の中心側に配置された素線の直径が大きくなるほど、絶縁電線１の固有振動数が低くなり、絶縁電線１が振動に対して強くなる。
【００５３】
それ故、本形態の絶縁電線１によれば、このような２つの工夫を組み合わせることによって、柔軟性及び強度を適切に確保しつつ、両者のバランスが取れた絶縁電線１を形成することができる。
【００５４】
＜実施形態２＞
本形態は、第１撚り線２及び第２撚り線３等の構成が、実施形態１の場合と異なる絶縁電線１について示す。
図７に示すように、第１撚り線群２０の外周側に配置された複数本の第２撚り線３は、径方向に２段に並んで配置されていてもよい。この場合には、絶縁電線１の柔軟性をより適切に確保することができる。
【００５５】
実施形態２以降についても、実施形態１の場合と同様に、絶縁電線１内に生じる隙間は、第１素線２１、第２素線３１等が圧縮されて、絶縁電線１が真円形状に近い断面に成形されることにより、極力なくすことができる。
【００５６】
図８及び図９に示すように、絶縁電線１の中心部には、第１素線２１と線径が異なる複数の第３素線５１が撚られて形成された第３撚り線５が配置されていてもよい。また、複数本の第１撚り線２は、第３撚り線５を囲む外周に配置されている。
【００５７】
この場合、図８に示すように、第３撚り線５は、中心側第１撚り線２Ａの代わりに１本配置されていてもよい。また、図９に示すように、第３撚り線５は、中心側第１撚り線２Ａの代わりに複数本が配置されていてもよい。また、第３撚り線５における第３素線５１の線径は、第２撚り線３における第２素線３１の線径と同じにしてもよい。また、第３撚り線５における第３素線５１の線径は、第１素線２１の線径及び第２素線３１の線径と異なっていてもよい。
【００５８】
また、図１０に示すように、複数本の第１撚り線２のうちの中心側第１撚り線２Ａの代わりに、１本の太い導体６を配置してもよい。この導体６の直径は、第１素線２１の直径及び第２素線３１の直径よりも大きい。この場合には、絶縁電線１の強度を効果的に高めることができる。
【００５９】
また、図１１に示すように、第１撚り線２及び第２撚り線３が用いられた絶縁電線１における隙間には、第１撚り線２及び第２撚り線３とは異なる第３撚り線５Ｘが配置されていてもよい。第３撚り線５Ｘの直径は、第１撚り線２の直径及び第２撚り線３の直径よりも小さくすることができる。この場合には、絶縁電線１における隙間をできるだけなくして、絶縁電線１における導体の占有面積を高めることができる。
【００６０】
本形態の絶縁電線１における、その他の構成、作用効果等については、実施形態１の場合と同様である。また、本形態においても、実施形態１に示した符号と同一の符号が示す構成要素は、実施形態１の場合と同様である。
【００６１】
＜実施形態３＞
本形態は、図１２に示すように、複数本の第２撚り線３の内側（中心側）に１本の第１撚り線２が配置された場合について示す。
本形態においては、第１撚り線２が１本からなる構成が実施形態１の場合と異なり、その他の構成は実施形態１と同様である。本形態の第１撚り線２の直径は、第２撚り線３の直径よりも大きい。
【００６２】
本形態の絶縁電線１においては、複数の第１素線２１が撚られた１本の第１撚り線２が、１つの束を形成している。本形態の絶縁電線１においては、中心側に位置する、線径が大きい方の第１素線２１を用いた第１撚り線２により、絶縁電線１の強度を適切に高めることができる。また、外周側に位置する、線径が小さい方の第２素線３１を用いた第２撚り線群３０により、絶縁電線１の柔軟性を適切に高めることができる。
【００６３】
本形態の絶縁電線１における、その他の作用効果等については、実施形態１，２の場合と同様である。また、本形態においても、実施形態１，２に示した符号と同一の符号が示す構成要素は、実施形態１，２の場合と同様である。
【００６４】
＜実施形態４＞
本形態は、図１３に示すように、絶縁電線１の中心部（中心側）に配置された複数本の第１撚り線２Ｙにおける各第１素線２１Ｙの線径が、絶縁電線１の外周部（外周側）に配置された複数本の第２撚り線３Ｙにおける各第２素線３１Ｙの線径よりも小さい場合について示す。
【００６５】
本形態の複数本の第２撚り線３Ｙは、径方向に１段に並んで配置されている。複数本の第１撚り線２Ｙによる第１撚り線群２０Ｙ、及び複数本の第２撚り線３Ｙによる第２撚り線群３０Ｙは、実施形態１の場合と同様にして撚ることができる。また、第２撚り線３Ｙ同士の間の外周側に形成された隙間には、隙間撚り線７が、第２撚り線３Ｙと周方向Ｃに交互に並んで配置されている。隙間撚り線７は、複数の隙間素線７１が撚られて形成されており、第２撚り線３Ｙの直径よりも小さな直径を有する。
【００６６】
第２撚り線３Ｙの直径とは、第２撚り線３Ｙを構成する複数の第２素線３１Ｙの全体が内側に含まれる最小の仮想円の直径のことをいう。隙間撚り線７の直径についても同様である。
【００６７】
本形態の隙間撚り線７には、第１撚り線２Ｙと同じものを用いた。また、隙間素線７１には、第１素線２１Ｙと同じものを用いた。隙間撚り線７は、第１素線２１Ｙ及び第２素線３１Ｙと直径が異なる第３素線によって形成してもよい。
【００６８】
本形態においても、柔軟性と強度とのバランスが取れた絶縁電線１を形成することができる。ただし、絶縁電線１の中心部に、第２素線３１Ｙの線径よりも線径が小さい第１素線２１Ｙが配置されるため、柔軟性及び強度を高める上では、実施形態１の場合に比べて不利になると考えられる。
【００６９】
本形態の絶縁電線１における、その他の構成、作用効果等については、実施形態１〜３の場合と同様である。また、本形態においても、実施形態１〜３に示した符号と同一の符号が示す構成要素は、実施形態１〜３の場合と同様である。
【００７０】
（その他の実施形態）
実施形態１〜４において、複数本の第１撚り線２，２Ｙと複数本の第２撚り線３，３Ｙとは、別々に撚るだけでなく、同時に撚ることも可能である。ただし、内側に配置される撚り線が撚られにくくなるため、撚り装置に工夫が必要となる。
【００７１】
また、実施形態１〜４に示した第１撚り線２、第２撚り線３等の構成は、一例である。本発明は、各実施形態のみに限定されるものではなく、その要旨を逸脱しない範囲においてさらに異なる実施形態を構成することが可能である。また、本発明は、様々な変形例、均等範囲内の変形例等を含む。
【符号の説明】
【００７２】
１  絶縁電線
２，２Ｙ  第１撚り線
２０，２０Ｙ  第１撚り線群
２１，２１Ｙ  第１素線
２Ａ  中心側第１撚り線
２Ｂ  外周側第１撚り線
３，３Ｙ  第２撚り線
３０，３０Ｙ  第２撚り線群
３１，３１Ｙ  第２素線
４  被覆材
５，５Ｘ  第３撚り線
５１，５１Ｘ  第３素線
７  隙間撚り線
７１  隙間素線
【図１】
2019185981.tif 000003
【図２】
2019185981.tif 000004
【図３】
2019185981.tif 000005
【図４】
2019185981.tif 000006
【図５】
2019185981.tif 000007
【図６】
2019185981.tif 000008
【図７】
2019185981.tif 000009
【図８】
2019185981.tif 000010
【図９】
2019185981.tif 000011
【図１０】
2019185981.tif 000012
【図１１】
2019185981.tif 000013
【図１２】
2019185981.tif 000014
【図１３】
2019185981.tif 000015